(57)【特許請求の範囲】
【請求項１】
走査電極と情報電極とが互いにマトリクス状に配置され、その間に液晶を挟持してなる液晶パネルと、与えられる画像データに基づいて前記情報電極に情報信号電圧を印加する複数の情報電極駆動手段とを備えた液晶画像表示装置において、
前記情報電極駆動手段は、前記画像データを受け取るための画像データ入力端子と、前記画像データのビット幅を拡張するビット幅拡張手段と、ビット幅が拡張された画像データに補正用データを加算または減算する加減算手段と、を具備し、
前記補正用データはＲ，Ｇ，Ｂ各色毎の補正用データを含んでおり、前記加減算手段はこの補正用データをＲ，Ｇ，Ｂ各色毎の前記画像データに対してＲ，Ｇ，Ｂ各色毎に加算または減算するものであることを特徴とする液晶画像表示装置。
【請求項２】
前記補正用データのバス幅は、２ビット幅ないし前記画像データのバス幅までのいずれかであることを特徴とする請求項１に記載の液晶画像表示装置。
【発明の詳細な説明】
【０００１】
【発明の属する技術分野】
本発明は、液晶画像表示装置に関し、特に表示画像の色調の補正に最適な制御を実現するための情報電極駆動回路を有するものに関する。
【０００２】
【従来の技術】
近年、従来より多用されているＣＲＴディスプレイに比べて薄型、軽量かつ低消費電力である液晶を用いたフラットパネルディスプレイが注目されているが、この液晶を用いたフラットパネルディスプレイの課題として、ＣＲＴと比べ、画質の調整機能に乏しいことが挙げられている。
【０００３】
図２はこのような従来の液晶ディスプレイにおける情報電極駆動回路（以下、ソースドライバともいう）の構成を示すブロック図である。同図において、２１はチップイネーブル信号ＥＩＯ１およびＥＩＯ２を生成するとともに内部タイミング信号を制御するためのコントロール回路、２２は画像データバス（Ｒデータ用：ＩＤ（５：０）、Ｇデータ用：ＩＤ（１５：１０）、Ｂデータ用：ＩＤ（２５：２０））を介して入力される画像データを順次取り込むラッチ信号を生成するためのラッチアドレスセレクタ、２３は２４０出力チャネル×６ビット（６４階調）の画像データを順次取り込む２４０×６ビットのラッチ回路から構成される第１のデータラッチ、２４はデータラッチ２３で取り込んだ２４０×６ビットの画像データを信号ＬＡＴＣＨに同期して取り込む第２のデータラッチ、２５は液晶駆動基準電圧（Ｖ８〜Ｖ０）に基づいて６４階調の電圧を生成し、６ビットデータをデコードしたデコード信号で液晶駆動電圧を選択するＤＡコンバータ、２６はＤＡコンバータ２５からの液晶駆動電圧を液晶パネルに供給する出力アンプである。
【０００４】
図３はこのソースドライバの複数が液晶パネル３０に実装される場合の接続イメージを示すブロック図である。図４は図２に示した各制御信号と液晶パネル３０に印加される駆動電圧出力のタイミングチャートである。
【０００５】
図３において、３７−１〜３７−ｎは、図２で示したソースドライバであり、ソースドライバ３７−１と３７−２は各々の端子ＥＩＯ２とＥＩＯ１同志が、ソースドライバ３７−（ｎ−１）と３７−ｎも各々の端子ＥＩＯ２とＥＩＯ１同志がシリアルに接続されており、ソースドライバ３７−１の端子ＥＩＯ１には液晶駆動コントローラ（図示せず）からの画像データ取込みイネーブル信号である信号ＳＤＩ（シリアル・データ・イン；Ｓｅｒｉａｌ  Ｄａｔａ  Ｉｎ）が接続されている。液晶駆動基準電圧（Ｖ８〜Ｖ０）も各々のソースドライバに入力されるが、図３では示していない。
【０００６】
図４のタイミングチャートに示されるように、図３中のソースドライバ３７−１は、液晶駆動コントローラからの信号ＳＤＩのハイ（Ｈｉｇｈ）時における信号ＳＣＬＫの立下りエッジのタイミングにおいて、図２のラッチアドレスセレクタ２２の指定アドレス通りのデータラッチ２３に対して、画像データＩＤ（５：０）、ＩＤ（１５：１０）およびＩＤ（２５：２０）のサンプリングとラッチを行なう。ソースドライバ３７−１は、信号ＳＣＬＫの８０サイクル期間（２４０出力チャネル／３系統画像データバス）、画像データのサンプリングを行ない、ソースドライバ３７−２のチップイネーブル信号となる信号ＳＤＯ１を出力してサンプリングを停止する。ソースドライバ３７−２以降のソースドライバも前述と同様のタイミングで、画像データのサンプリングとラッチを行なう。このようにして、信号ＬＡＴＣＨの一周期、すなわち１水平走査期間（１Ｈ）分の画像データのサンプリングとラッチを完了し、信号ＬＡＴＣＨに同期して、画像データは図２のデータラッチ２４にラッチされる。
【０００７】
図５は図２のＤＡコンバータ２５の構成を示す。図６はＤＡコンバータ２５への入力データと液晶駆動電圧出力の関係を示す。図５に示すように、ＤＡコンバータ２５の基準電圧は合計６４本の抵抗ラダーで構成されている。Ｖ８〜Ｖ０の各電源端子間は各８個の直列抵抗で構成されており、入力データに応じ、液晶駆動電圧として、図６の関係表に従って、抵抗ラダーで分圧された各々の電圧値が選択され、出力アンプ２６ヘ供給される。このようにして、各出力チャネル毎に選択された液晶駆動電圧は、図２の出力アンプ２６を介して、液晶パネル３０に印加される。
【０００８】
図７は、液晶パネル３０の駆動電圧（Ｖ）と透過率（Ｔ）の関係を示す。この図は図２のＤＡコンバータ２５によって選択される６４種類の電圧値が６４レベルの液晶パネルの透過率に対応することを示している。
【０００９】
【発明が解決しようとする課題】
このような従来の液晶画像表示装置における色調の補正は、簡便にはソースドライバに入力される液晶駆動基準電圧（Ｖ８〜Ｖ０）の値を変化させて行なうことが考えられる。しかしこれによれば、ＲＧＢの各色について独立して色調の補正を行なうことができないことや、液晶駆動基準電圧Ｖ８〜Ｖ０の供給電源のコストアップ等の問題が懸念される。
【００１０】
本発明の目的は、このような従来技術の問題点に鑑み、液晶画像表示装置において、簡便な構成で、さらにはＲＧＢの各色について独立して、色調の補正を行なうことができるようにすることにある。
【００１１】
【課題を解決するための手段】
この目的を達成するため本発明の液晶画像表示装置は、走査電極と情報電極とが互いにマトリクス状に配置され、その間に液晶を挟持してなる液晶パネルと、与えられる画像データに基づいて前記情報電極に情報信号電圧を印加する複数の情報電極駆動手段とを備えた液晶画像表示装置において、
前記情報電極駆動手段は、前記画像データを受け取るための画像データ入力端子と、前記画像データのビット幅を拡張するビット幅拡張手段と、ビット幅が拡張された画像データに補正用データを加算または減算する加減算手段と、を具備し、
前記補正用データはＲ，Ｇ，Ｂ各色毎の補正用データを含んでおり、前記加減算手段はこの補正用データをＲ，Ｇ，Ｂ各色毎の前記画像データに対してＲ，Ｇ，Ｂ各色毎に加算または減算するものであることを特徴とする。
【００１２】
【発明の実施の形態】
本発明の好ましい実施形態においては、加減算手段は情報電極駆動手段内に設けられており、情報電極駆動手段は、画像データを受け取るための画像データ入力端子と、これとは別に、補正用データを受け取るための補正用データ入力端子を備える。
【００１３】
また、補正用データを画像データに加算または減算する前に、画像データのビット幅を拡張するビット幅拡張手段を有し、情報電極駆動手段は、この拡張後の画像データに対応している。
【００１４】
また、補正用データはＲ，Ｇ，Ｂ各色毎の補正用データを含んでおり、加減算手段はこの補正用データを画像データに対してＲ，Ｇ，Ｂ各色毎に加算または減算する。これにより、各色毎に独立した色調の補正が行なわれる。補正用データのバス幅は、２ビット幅ないし前記画像データのバス幅までのいずれかであればよい。
【００１５】
【実施例】
図１は本発明の一実施例に係る液晶画像表示装置のソースドライバの構成を示すブロック図である。同図中、２１〜２６は、それぞれ図２の同一符号のものと同様のものである。１７は本発明の特徴部分に係る加減回路であり、画像データＩＤ（５：０）、ＩＤ（１５：１０）およびＩＤ（２５：２０）に対し、各々、ＲＧＢ各色についての各３ビット幅の補正データであるＲ補正データＣＩＤ（２：０）、Ｇ補正データＣＩＤ（１２：１０）およびＢ補正データＣＩＤ（２２：２０）（ＣＩＤ：Ｃｏｒｒｅｃｔｅｄ  Ｉｍａｇｅ  Ｄａｔａ）によって、色調の補正を行なうための画像データの加減処理を行なうものである。 これらの補正データも液晶駆動コントローラ等から送出される。
【００１６】
図８は、図１に示した各制御信号と液晶パネルに印加される駆動電圧出力のタイミングチャートである。ラッチのタイミング等は従来例（図４）と同様であるが、第１のデータラッチ２３にラッチされるデータは、加減回路１７において、補正データによって補正された画像データである。
【００１７】
図９は加減回路１７の入力データと補正レベルの関係を示す。これによれば、各補正データのＭＳＢであるＣＩＤｘ２（ｘ＝２、１、０）によって、加算または減算処理が決定され、下位２ビットのＣＩＤｘ１およびＣＩＤｘ０（ｘ＝２、１、０）によって、補正されるビット数が決定される。
【００１８】
つまり、従来例で示した図６と本実施例における図９によれば、Ｒ用画像データＩＤ（５：０）が０７Ｈ、その補正データＣＩＤ（２：０）が０２Ｈであれば、画像データは２ビット加算補正されて０９Ｈとなり、出力電圧はＶ６＋（Ｖ７−Ｖ６）×６／８が選択されることになる。従来例と比較すれば、従来は、画像データＩＤ（５：０）が０７Ｈのときに出力電圧Ｖ７が選択されていたのに対し、本実施例によれば、同一の入力画像データ０７Ｈで、Ｖ６＋ (Ｖ７−Ｖ６）×６／８が選択され、それにより液晶パネルの透過率を変化させ、Ｒの色調の補正を行なったことになる。
【００１９】
同様にして、Ｇ用画像データＩＤ（１５：１０）が２８Ｈ、補正データＣＩＤ（１２：１０）が０７Ｈであれば、画像データは３ビット減算補正されて２５Ｈとなり、出力電圧はＶ３＋（Ｖ４−Ｖ３）×２／８が選択されることになる。従来例と比較すれば、従来は、画像データＩＤ（１５：１０）が２８Ｈのときに出力電圧Ｖ２＋（Ｖ３−Ｖ２）×７／８が選択されていたのに対し、本実施例によれば、同一の入力画像データ２８Ｈで、Ｖ３＋（Ｖ４−Ｖ３）×２／８が選択され、それにより、液晶パネルの透過率を変化させることができ、これによってＧの色調の補正を行なったことになる。同様にして、Ｂ用画像データＩＤ（２５：２０）の補正を行ない、色調の補正を行なうことが可能である。
【００２０】
つまり、図１５に示す通り、液晶パネルへの駆動電圧（Ｖ）と透過率（Ｔ）の関係を横軸（Ｖ）方向にシフト補正することにより、液晶パネルの特性ばらつき等によってＲＧＢ間で生ずる色調のずれを調整したり、画像データとは独立してＲＧＢ各々の色調の調整を行なうことが可能となる。
【００２１】
以上述べた通り、ソースドライバへのＲＧＢの各画像データに対し、各々の色調補正用の画像データによって、画像データの補正を行なうことで、ＲＧＢ各色独立して、色調の補正を行なうことが可能となる。なお、以上述べた実施例中では、補正データのバス幅を各々３ビット幅としたが、これに限らず、２〜６ビットの幅でも実現可能であることは言うまでもない。
【００２２】
図１０は本発明の他の実施例に係る液晶画像表示装置のソースドライバの構成を示すブロック図である。図中の３１〜３６の各要素は、図１や図２の２１〜２６の各要素にそれぞれ対応し、機能も同様であるが、データラッチ３３および３４ならびにＤＡコンバータ３５のビット数が６ビットから８ビットに広げられている。３８および３９はそれぞれ本発明の特徴部分に係る加減回路およびビット変換回路である。図１１はそれらの構成を示すブロック図である。
【００２３】
図１１に示すように、ビット変換回路３９（３９−１〜３９−３）は、各々６ビット幅の画像データＩＤ（５：０）、ＩＤ（１５：１０）およびＩＤ（２５：２０）を、上位に２ビットシフトさせ、８ビット幅とする（下位２ビットは０とする）。故に、ここで、画像データで制御可能な階調数は２8＝２５６階調となる。加減回路３８（３８−１〜３８−３）は、拡張された各８ビット幅の画像データを、各３ビット幅のＲ補正データＣＩＤ（２：０）、Ｇ補正データＣＩＤ（１２：１０）およびＢ補正データＣＩＤ（２２：２０）（ＣＩＤ：Ｃｏｒｒｅｃｔｅｄ  Ｉｍａｇｅ  Ｄａｔａ）によって色調の補正を行なうための画像データの加減処理を行なうものである。各補正データも液晶駆動コントローラ等から送出される。
【００２４】
ラッチのタイミング等は従来例（図４）や上述の実施例（図８）と同様であるが、第１のデータラッチ３３にラッチされるデータは、ビット変換回路３９および加減回路３８において補正データによって補正された画像データがラッチされる。
【００２５】
図１２は図１０のＤＡコンバータ３５の構成を示す。図１３は、このＤＡコンバータ３５への入力データと液晶駆動出力電圧の関係を示す。図１２に示すように、ＤＡコンバータ３５の基準電圧は合計２５６本の抵抗ラダーで構成されている。各電源端子間は３２個の直列抵抗で構成されており、出力アンプ３６ヘ供給される液晶駆動電圧としては、入力データに応じ、図１３で示した関係表に従って、抵抗ラダーで分圧された各々の電圧値のものが選択される。
【００２６】
図１４は液晶パネルへの駆動電圧（Ｖ）と透過率（Ｔ）の関係を示す。この図は図１０のＤＡコンバータ３５によって選択される２５６種類の電圧値が液晶パネルの２５６レベルの透過率に対応することを示している。
【００２７】
加減回路３８の入力データと補正レベルの関係は図９に示したものと同様である。これによれば、各補正データのＭＳＢであるＣＩＤｘ２（ｘ＝２、１、０）によって、加算または減算処理が決定され、下位２ビットのＣＩＤｘ１とＣＩＤｘ０（ｘ＝２、１、０）によって、補正されるビット数が決定される。
【００２８】
つまり、図９と図１３によれば、Ｒ用画像データＩＤ（５：０）が０７Ｈ、その補正データＣＩＤ（２：０）が０２Ｈであれば、画像データは２ビット加算補正されて、１ＥＨとなり、出力電圧はＶ７＋（Ｖ８−Ｖ７）×１／３２が選択されることになる。従来例と比較すれば、従来は、画像データＩＤ（５：０）が０７Ｈのとき、出力電圧Ｖ７が選択されていたのに対し、本実施例によれば、同一の入力画像データ０７Ｈで、Ｖ７＋（Ｖ８−Ｖ７）×１／３２が選択され、それにより、液晶パネルの透過率を変化させることができ、これによってＲの色調の補正を行なったことになる。加えて、上述の実施例と比較して、６ビット幅で入力された画像データを８ビットに拡張した後、補正を行なっているため、色調の調整幅として、２５６階調レベル毎に調整可能となり、より細かに色調の補正を行なうことが可能となる。
【００２９】
同様にして、Ｇ用画像データＩＤ（１５：１０）が３ＢＨで、その補正データＣＩＤ（１２：１０）が０７Ｈであれば、画像データは３ビット減算補正されてＥ９Ｈとなり、出力電圧はＶ０＋（Ｖ１−Ｖ０）×２２／３２が選択されることになる。従来例と比較すれば、従来は、画像データＩＤ（１５：１０）が３ＢＨのとき、出力電圧Ｖ０＋（Ｖ１−Ｖ０）×４／８が選択されていたのに対し、本実施例によれば、同一の入力画像データ３ＢＨで、Ｖ０＋（Ｖ１−Ｖ０）×２２／３２が選択され、それにより、液晶パネルの透過率を変化させることができ、これによってＧの色調の補正を行なったことになる。加えて、上述の実施例と比較して、６ビット幅で入力された画像データを８ビットに拡張した後、補正を行なっているため、色調の調整幅として、２５６階調レベル毎に調整可能となり、より細かに色調の補正を行なうことが可能となる。同様にして、Ｂ用画像データＩＤ（２５：２０）の補正を行ない、色調の補正を行なうことが可能である。
【００３０】
つまり、図１６に示す通り、液晶パネルへの駆動電圧（Ｖ）と透過率（Ｔ）の関係を横軸（Ｖ）方向にシフト補正することにより、液晶パネルの特性ばらつき等によってＲＧＢ間で生ずる色調のずれを調整したり、画像データとは独立してＲＧＢ各々の色調の調整を行なうことが可能となる。
【００３１】
以上述べた通り、本実施例によれば、ソースドライバへのＲＧＢ各画像データに対し、ビット幅を拡張した上で、各々の色調補正用の画像データによって画像データの補正を行なうようにしたため、ＲＧＢ各色独立してより細かに色調の補正を行なうことが可能となる。
【００３２】
【発明の効果】
以上に述べたように本発明によれば、色調の補正を行なうために所定の補正用データを画像データに加算または減算するようにしたため、簡便な構成により、ＲＧＢ各色独立して、色調の補正を行なうことが可能となる。
【図面の簡単な説明】
【図１】  本発明の一実施例に係る液晶画像表示装置のソースドライバの構成を示すブロック図である。
【図２】  従来例に係るソースドライバのブロック図である。
【図３】  ソースドライバの液晶パネルへの実装イメージを示すブロック図である。
【図４】  従来のソースドライバの入出力タイミングチャートである。
【図５】  従来例および図１の実施例におけるソースドライバ内のＤＡコンバータのブロック図である。
【図６】  図５のＤＡコンバータの入力データと液晶駆動電圧出力の関係を表した表の図である。
【図７】  液晶パネルの駆動電圧と透過率の関係を示すグラフである。
【図８】  図１のソースドライバの入出力タイミングチャートである。
【図９】  図１のソースドライバ内の加減回路への入力データと補正レベルの関係を表わした表の図である。
【図１０】  本発明の他の実施例に係るソースドライバの構成を示すブロック図である。
【図１１】  図１０のソースドライバ内のビット変換回路と加減回路の構成を示すブロック図である。
【図１２】  図１０のソースドライバ内のＤＡコンバータの回路図である。
【図１３】  図１２のＤＡコンバータへの入力データと液晶駆動電圧出力の関係を表わした表の図である。
【図１４】  図１０のソースドライバによる液晶パネルへの駆動電圧と透過率の関係を表わした表の図である。
【図１５】  図１の画像表示装置における液晶パネルへの駆動電圧と透過率の関係の補正イメージを示す図である。
【図１６】  図１０のソースドライバによる液晶パネルへの駆動電圧と透過率の関係の補正イメージを示す図である。
【符号の説明】
２１，３１：コントロール回路、２２，３２：ラッチアドレスセレクタ、２３，３３：第１のデータラッチ、２４，３４：第２のデータラッチ、２５，３５：ＤＡコンバータ、２６，３６：出力アンプ、１７，３８：加減回路、３０：液晶パネル、３９：ビット変換回路、３７：ソースドライバ。
【図１】
0003957897.tif 000002
【図２】
0003957897.tif 000003
【図３】
0003957897.tif 000004
【図４】
0003957897.tif 000005
【図５】
0003957897.tif 000006
【図６】
0003957897.tif 000007
【図７】
0003957897.tif 000008
【図８】
0003957897.tif 000009
【図９】
0003957897.tif 000010
【図１０】
0003957897.tif 000011
【図１１】
0003957897.tif 000012
【図１２】
0003957897.tif 000013
【図１３】
0003957897.tif 000014
【図１４】
0003957897.tif 000015
【図１５】
0003957897.tif 000016
【図１６】
0003957897.tif 000017